(57)【要約】【課題】波面に対して鉛直方向からスライダ部材を圧接する構成の節度機構を備えたダイヤル式スイッチにおいて、良好な節度感が得られると同時に、操作音を低減し、操作フィーリングを向上させることができるダイヤル式スイッチを提供することを目的とする。【解決手段】節度機構８を備えたダイヤル式スイッチ１において、節度機構８は、リング状部材７または回動部材４の一方の部材の端面に円周方向に山部１０と谷部１１とが交互に放射状に設けられた波面９と、他方の部材側に保持され、その先端部１５が波面９に対して鉛直方向から圧接されるスライダ部材１４とから構成され、スライダ部材１４側の先端部１５の内周側曲率半径Ｒｓ１および外周側曲率半径Ｒｓ２が、波面９の谷部１１の内周側曲率半径Ｒｒ１および外周側曲率半径Ｒｒ２に対応して設定されている。【選択図】図３
2009301827.tif 000002
【特許請求の範囲】
【請求項１】
ダイヤルノブの回転操作に連動して回動され、スイッチ回転軸を介してスイッチ本体を動作させる回動部材と、この回動部材に対向して設置され、該回動部材との間で節度機構を構成するリング状部材とを備えたダイヤル式スイッチにおいて、
前記節度機構は、前記リング状部材または前記回動部材の一方の部材の端面に円周方向に山部と谷部とが交互に放射状に設けられた波面と、前記他方の部材側に保持され、その先端部が前記波面に対して鉛直方向から圧接されるスライダ部材とから構成され、
前記スライダ部材側の先端部の内周側曲率半径および外周側曲率半径が、前記波面の前記谷部の内周側曲率半径および外周側曲率半径に対応して設定されていることを特徴とするダイヤル式スイッチ。
【請求項２】
前記波面の前記谷部の内周側曲率半径および外周側曲率半径をそれぞれＲｒ１，Ｒｒ２とし、前記スライダ部材の先端部の内周側曲率半径および外周側曲率半径をそれぞれＲｓ１，Ｒｓ２としたとき、０．５＊（Ｒｒ１，Ｒｒ２）≦（Ｒｓ１，Ｒｓ２）≦２＊（Ｒｒ１，Ｒｒ２）とされていることを特徴とする請求項１に記載のダイヤル式スイッチ。
【請求項３】
前記波面の前記谷部の内周側曲率半径および外周側曲率半径をそれぞれＲｒ１，Ｒｒ２とし、前記スライダ部材の先端部の内周側曲率半径および外周側曲率半径をそれぞれＲｓ１，Ｒｓ２としたとき、Ｒｒ１＝Ｒｒ２＝Ｒｓ１＝Ｒｓ２とされていることを特徴とする請求項１または２に記載のダイヤル式スイッチ。
【請求項４】
前記波面の前記谷部の内周側曲率半径および外周側曲率半径をそれぞれＲｒ１，Ｒｒ２とし、前記山部の内周側曲率半径および外周側曲率半径をそれぞれＲｒ３，Ｒｒ４としたとき、Ｒｒ１＝Ｒｒ２およびＲｒ３＜Ｒｒ４とされ、前記スライダ部材の先端部の内周側曲率半径および外周側曲率半径をそれぞれＲｓ１，Ｒｓ２としたとき、Ｒｓ１＝Ｒｓ２とされていることを特徴とする請求項１ないし３のいずれかに記載のダイヤル式スイッチ。
【請求項５】
前記波面の前記谷部の内周側曲率半径および外周側曲率半径をそれぞれＲｒ１，Ｒｒ２とし、前記山部の内周側曲率半径および外周側曲率半径をそれぞれＲｒ３，Ｒｒ４としたとき、Ｒｒ１＜Ｒｒ２およびＲｒ３＜Ｒｒ４とされ、前記スライダ部材の先端部の内周側曲率半径および外周側曲率半径をそれぞれＲｓ１，Ｒｓ２としたとき、Ｒｓ１＜Ｒｓ２とされていることを特徴とする請求項１または２に記載のダイヤル式スイッチ。
【請求項６】
前記波面および前記スライダ部材は、それぞれ樹脂材による成形品とされていることを特徴とする請求項１ないし５のいずれかに記載のダイヤル式スイッチ。
【発明の詳細な説明】
【技術分野】
【０００１】
本発明は、ダイヤルノブの回転操作により動作されるダイヤル式スイッチ（ロータリ式スイッチ）に関するものである。
【背景技術】
【０００２】
ダイヤルノブの回転操作により動作されるダイヤル式スイッチは、例えば、車両用空調装置の操作パネルに設けられる温度設定スイッチや風量設定スイッチ、あるいはオーディオ機器の操作スイッチ等々として、各種機器において広く採用されている。このようなダイヤル式スイッチにおいて、ダイヤルノブを操作してスイッチを切り替えたとき、節度感（クリック感）が得られるように、節度機構（クリック機構）を設けているものがある。
【０００３】
かかる節度機構としては、円筒状部材の外周面に凹凸面あるいは波面を設け、該凹凸面あるいは波面に対して放射方向からバネにより突片を圧接するように構成したもの、あるいはリング状部材の一端面に凹凸面あるいは波面を設け、該凹凸面あるいは波面に対して鉛直方向からバネによって球片（ボール）を圧接するように構成したもの等々が知られている（例えば、特許文献１ないし３参照）。
【０００４】
上記の節度機構において、凹凸面あるいは波面に圧接される部材に球片（ボール）を用いたものは、球片と凹凸面あるいは波面との接触が点接触となり、接触圧力が大きくなることから、ダイヤルノブの回転操作時、球片が凹凸面あるいは波面の凹部に圧接するときに発生される操作音が大きくなるという問題を有している。そこで、凹凸面あるいは波面に対して線接触が得られ易い、凹部に沿う所定長の接触面を有する突片やスライダ片を用いたものが採用されている。
【０００５】
【特許文献１】特許第３０３４２１０号公報
【特許文献２】特開２００３−８６０５９号公報
【特許文献３】特許第４０３１７７５号公報
【発明の開示】
【発明が解決しようとする課題】
【０００６】
上記のように、突片やスライダ片を用いた節度機構では、円筒状部材の外周面に設けた凹凸面あるいは波面に放射方向から突片やスライダ片を圧接する構成とした場合、比較的線接触による圧接が得られ易い。しかし、この構成の場合、円筒状部材の外側に放射方向に突片やスライダ片を圧接するバネを設置する必要があるため、ダイヤル式スイッチの外径が大きくなるとともに、放射方向からの押圧により回転軸心がずれ易いという問題があった。
【０００７】
ダイヤル式スイッチのコンパクト化や回転軸心がずれ防止には、リング状部材の一端面に設けられた凹凸面あるいは波面に対して鉛直方向（回転軸線方向）から突片やスライダ片を圧接する構成とする方が望ましいが、かかる構成の場合、リング状部材の内外径差によって凹凸面あるいは波面の凹凸部が外周側に向って拡がる構成となるため、線接触による圧接が得られ難くなるという問題があった。
【０００８】
本発明は、このような事情に鑑みてなされたものであって、波面に対して鉛直方向からスライダ部材を圧接する構成の節度機構を備えたダイヤル式スイッチにおいて、良好な節度感が得られると同時に、操作音を低減し、操作フィーリングを向上させることができるダイヤル式スイッチを提供することを目的とする。
【課題を解決するための手段】
【０００９】
上記課題を解決するために、本発明のダイヤル式スイッチは、以下の手段を採用する。
すなわち、本発明にかかるダイヤル式スイッチは、ダイヤルノブの回転操作に連動して回動され、スイッチ回転軸を介してスイッチ本体を動作させる回動部材と、この回動部材に対向して設置され、該回動部材との間で節度機構を構成するリング状部材とを備えたダイヤル式スイッチにおいて、前記節度機構は、前記リング状部材または前記回動部材の一方の部材の端面に円周方向に山部と谷部とが交互に放射状に設けられた波面と、前記他方の部材側に保持され、その先端部が前記波面に対して鉛直方向から圧接されるスライダ部材とから構成され、前記スライダ部材側の先端部の内周側曲率半径および外周側曲率半径が、前記波面の前記谷部の内周側曲率半径および外周側曲率半径に対応して設定されていることを特徴とする。
【００１０】
本発明によれば、回動部材とリング状部材との間に設けられる節度機構が、一方の部材の端面に円周方向に山部と谷部とが交互に放射状に設けられた波面と、他方の部材に保持され、波面に対して先端部が鉛直方向から圧接されるスライダ部材とから構成され、スライダ部材側の先端部の内周側曲率半径および外周側曲率半径が、波面の谷部の内周側曲率半径および外周側曲率半径に対応して設定されているので、少なくとも波面の谷部に対してスライダ部材側の先端部を確実に線接触により圧接させることが可能となる。これにより、波面の谷部とスライダ部材の先端部の接触時の圧力が低下され、スライダ部材の先端部が波面の谷部に圧接される際の発生音を抑制することができる。従って、良好な節度感（クリック感）が得られると同時に、ダイヤルノブ操作時の操作音を低減し、操作フィーリングを向上させることができる。
【００１１】
さらに、本発明のダイヤル式スイッチは、上記のダイヤル式スイッチにおいて、前記波面の前記谷部の内周側曲率半径および外周側曲率半径をそれぞれＲｒ１，Ｒｒ２とし、前記スライダ部材の先端部の内周側曲率半径および外周側曲率半径をそれぞれＲｓ１，Ｒｓ２としたとき、０．５＊（Ｒｒ１，Ｒｒ２）≦（Ｒｓ１，Ｒｓ２）≦２＊（Ｒｒ１，Ｒｒ２）とされていることを特徴とする。
【００１２】
本発明によれば、波面の谷部の内周側曲率半径および外周側曲率半径をそれぞれＲｒ１，Ｒｒ２とし、スライダ部材の先端部の内周側曲率半径および外周側曲率半径をそれぞれＲｓ１，Ｒｓ２としたとき、０．５＊（Ｒｒ１，Ｒｒ２）≦（Ｒｓ１，Ｒｓ２）≦２＊（Ｒｒ１，Ｒｒ２）とされているため、波面の谷部にスライダ部材の先端部が納まった時のぐらつき感を殆どなくし、節度感の感触を良好にすることができる。また、確実に線接触による圧接を確保することによりスライダ部材の先端部が波面の谷部に圧接される際の発生音を抑えることができる。従って、節度感の向上と操作音の低減を図り、操作フィーリングを向上させることができる。
【００１３】
さらに、本発明のダイヤル式スイッチは、上述のいずれかのダイヤル式スイッチにおいて、前記波面の前記谷部の内周側曲率半径および外周側曲率半径をそれぞれＲｒ１，Ｒｒ２とし、前記スライダ部材の先端部の内周側曲率半径および外周側曲率半径をそれぞれＲｓ１，Ｒｓ２としたとき、Ｒｒ１＝Ｒｒ２＝Ｒｓ１＝Ｒｓ２とされていることを特徴とする。  
【００１４】
本発明によれば、波面の谷部の内周側曲率半径および外周側曲率半径をそれぞれＲｒ１，Ｒｒ２とし、スライダ部材の先端部の内周側曲率半径および外周側曲率半径をそれぞれＲｓ１，Ｒｓ２としたとき、Ｒｒ１＝Ｒｒ２＝Ｒｓ１＝Ｒｓ２とされているため、波面の谷部に対してスライダ部材の先端部を実質的に面接触に近い状態で確実に線接触により圧接させることが可能となる。これにより、節度感および操作音を最適の状態に向上および低減することができる。また、スライダ部材先端部の曲率半径を、Ｒｓ１＝Ｒｓ２としているため、組み立て時の内外方向性を無くすることができ、従って、組み立ての容易化と誤組み立ての防止を図ることができる。
【００１５】
さらに、本発明のダイヤル式スイッチは、上述のいずれかのダイヤル式スイッチにおいて、前記波面の前記谷部の内周側曲率半径および外周側曲率半径をそれぞれＲｒ１，Ｒｒ２とし、前記山部の内周側曲率半径および外周側曲率半径をそれぞれＲｒ３，Ｒｒ４としたとき、Ｒｒ１＝Ｒｒ２およびＲｒ３＜Ｒｒ４とされ、前記スライダ部材の先端部の内周側曲率半径および外周側曲率半径をそれぞれＲｓ１，Ｒｓ２としたとき、Ｒｓ１＝Ｒｓ２とされていることを特徴とする。
【００１６】
本発明によれば、波面の谷部の内周側曲率半径および外周側曲率半径をそれぞれＲｒ１，Ｒｒ２とし、山部の内周側曲率半径および外周側曲率半径をそれぞれＲｒ３，Ｒｒ４としたとき、Ｒｒ１＝Ｒｒ２およびＲｒ３＜Ｒｒ４とされ、スライダ部材の先端部の内周側曲率半径および外周側曲率半径をそれぞれＲｓ１，Ｒｓ２としたとき、Ｒｓ１＝Ｒｓ２とされているため、リング状部材の内外径差にかかわらず、波面の谷部に対してスライダ部材の先端部を実質的に面接触に近い状態で確実に線接触により圧接させることが可能となる。これにより、節度感および操作音を最適の状態に向上および低減することができる。また、スライダ部材先端部の曲率半径を、Ｒｓ１＝Ｒｓ２としているため、組み立て時の内外方向性を無くすることができ、従って、組み立ての容易化と誤組み立ての防止を図ることができる。
【００１７】
さらに、本発明のダイヤル式スイッチは、上述のいずれかのダイヤル式スイッチにおいて、前記波面の前記谷部の内周側曲率半径および外周側曲率半径をそれぞれＲｒ１，Ｒｒ２とし、前記山部の内周側曲率半径および外周側曲率半径をそれぞれＲｒ３，Ｒｒ４としたとき、Ｒｒ１＜Ｒｒ２およびＲｒ３＜Ｒｒ４とされ、前記スライダ部材の先端部の内周側曲率半径および外周側曲率半径をそれぞれＲｓ１，Ｒｓ２としたとき、Ｒｓ１＜Ｒｓ２とされていることを特徴とする。
【００１８】
本発明によれば、波面の谷部の内周側曲率半径および外周側曲率半径をそれぞれＲｒ１，Ｒｒ２とし、山部の内周側曲率半径および外周側曲率半径をそれぞれＲｒ３，Ｒｒ４としたとき、Ｒｒ１＜Ｒｒ２およびＲｒ３＜Ｒｒ４とされ、スライダ部材の先端部の内周側曲率半径および外周側曲率半径をそれぞれＲｓ１，Ｒｓ２としたとき、Ｒｓ１＜Ｒｓ２とされているため、リング状部材の内外径差にかかわらず、波面の谷部に対してスライダ部材の先端部を実質的に面接触に近い状態で確実に線接触により圧接させることが可能となる。これにより、節度感および操作音を最適の状態に向上および低減することができる。
【００１９】
さらに、本発明のダイヤル式スイッチは、上述のいずれかのダイヤル式スイッチにおいて、前記波面および前記スライダ部材は、それぞれ樹脂材による成形品とされていることを特徴とする。
【００２０】
本発明によれば、波面およびスライダ部材は、それぞれ樹脂材による成形品とされているため、ダイヤルノブ操作時に発生する操作音をソフトな樹脂材同士の接触音とすることができる。従って、ダイヤルノブ操作時の不快な操作音を低減することができる。
【発明の効果】
【００２１】
本発明によると、波面の谷部に対してスライダ部材側の先端部を確実に線接触により圧接させることが可能となるため、波面の谷部とスライダ部材の先端部との接触時の圧力が低下され、スライダ部材の先端部が波面の谷部に圧接される際の発生音を抑制することができ、従って、良好な節度感（クリック感）が得られると同時に、ダイヤルノブ操作時の操作音を低減し、操作フィーリングを向上させることができる。
【発明を実施するための最良の形態】
【００２２】
以下に、本発明にかかる実施形態について、図面を参照して説明する。
［第１実施形態］
以下、本発明の第１実施形態について、図１ないし図５を用いて説明する。
図１には、本発明の第１実施形態に係るダイヤル式スイッチの主要部（図の左側にダイヤルノブを組み付けた状態、図の右側にダイヤルノブを取り外した状態を示す。）の構成を示す斜視図が示され、図２および図３には、その節度機構の斜視図が示されている。
ダイヤル式スイッチ１は、図示省略の操作ボックスを構成する操作パネル上に、ベース部材２を介して設置される。
【００２３】
ダイヤル式スイッチ１は、図示省略のスイッチ本体を動作させるためのダイヤルノブ３と、このダイヤルノブ３に連結され、ダイヤルノブ３の回転操作に連動して回動される回動部材４と、回動部材４にアーム部等を介して一体に設けられ、図示省略のスイッチ本体と係合して該スイッチ本体を回転させるスイッチ回転軸５と、回動部材４に対向してベース部材２上に固定設置され、保持部６が一体に設けられているリング状部材７とを備えている。なお、スイッチ本体は、図示省略の制御基板上に設けられ、スイッチ回転軸５と係合して回転されるようになっている。かかる構成のダイヤル式スイッチ１は公知である。
【００２４】
上記のダイヤル式スイッチ１において、回動部材４と、これに対向して設置されているリング状部材７との間には、ダイヤルノブ３を回転操作したときに、操作者に節度感（クリック感）を与えるために節度機構（クリック機構）８が設けられている。この節度機構８は、リング状部材７の回動部材４と対向する側の端面に設けられた波面９と、回動部材４の外周に波面９と対向して設けられている収容部１２に収容保持されるコイルバネ（弾性部材）１３およびスライダ部材１４とから構成されている。
【００２５】
スライダ部材１４は、リング状部材７に対し鉛直方向（スイッチ回転軸５の軸線方向）からコイルバネ（弾性部材）１３を介して押圧されることにより、波面９に圧接されるように構成されている。また、波面９を含むリング状部材７およびスライダ部材１４は、それぞれ樹脂材による一体成形品とされている。
【００２６】
波面９は、図２に示されるように、リング状部材７の回動部材４と対向する側の上端面に円周方向に山部１０と谷部１１とを交互に放射状に設けた構成とされている。この波面９が設けられるリング状部材７には、リングの幅に見合った内外径差があるため、内外径差を考慮して山部１０および谷部１１を形成する必要がある。本実施形態では、図３に示されるように、谷部１１の内周側曲率半径および外周側曲率半径をそれぞれＲｒ１，Ｒｒ２、山部１０の内周側曲率半径および外周側曲率半径をそれぞれＲｒ３，Ｒｒ４としたとき、これら曲率半径の関係を、Ｒｒ１＝Ｒｒ２およびＲｒ３＜Ｒｒ４に設定している。
【００２７】
また、スライダ部材１４は、先端部１５が波面９の山部１０および谷部１１の幅方向に沿う所定長の曲面（接触面）とされており、この先端部１５の内周側曲率半径Ｒｓ１および外周側曲率半径Ｒｓ２は、先端部１５の曲面が谷部１１の曲面に対して線接触により圧接されるように、谷部１１の内周側曲率半径Ｒｒ１および外周側曲率半径Ｒｒ２に対応して、Ｒｓ１＝Ｒｓ２に設定されている。
【００２８】
ここで、スライダ部材１４が波面９上を摺動し、その先端部１５が谷部１１内に納まったときに、スライダ部材１４の先端部１５の曲面と谷部１１の曲面とが確実に線接触により圧接されるようにすることが望ましい。このため、最も望ましくは、谷部１１の内周側曲率半径Ｒｒ１および外周側曲率半径Ｒｒ２に対して、先端部１５の内周側曲率半径Ｒｒ１および外周側曲率半径Ｒｓ２を、Ｒｒ１＝Ｒｒ２＝Ｒｓ１＝Ｒｓ２に設定することである。
【００２９】
谷部１１および先端部１５の曲面の曲率半径を、上記の如く設定すると、先端部１５が谷部１１にぴったり納まり、ぐらつき感もほぼ零になるが、微小なぐらつき感は許容できるので、望ましくは、上記の各曲率半径が、０．５＊（Ｒｒ１，Ｒｒ２）≦（Ｒｓ１，Ｒｓ２）≦２＊（Ｒｒ１，Ｒｒ２）を満たす範囲で設定すればよい。
【００３０】
以上に説明の構成により、本実施形態によれば、以下の作用効果を奏する。
ダイヤル式スイッチ１は、ダイヤルノブ３を摘まんで左右いずれかに回転操作し、回動部材４を回動すると、回動部材４に設けられているスイッチ回転軸５が回転される。これによって、スイッチ回転軸５と係合されているスイッチ本体（図示省略）が切り替え動作されることになる。
【００３１】
節度機構（クリック機構）８は、ダイヤルノブ３を回転操作したとき、その回動操作に対して、すなわち操作者に対して節度感（クリック感）を与えるように作用する。この節度感は、回動部材４が回動されることにより、これに保持されているスライダ部材１４がリング状部材７の波面９上を摺動し、円周方向に交互に設けられている山部１０および谷部１１を乗り越えて移動する。この際、その凹凸形状に応じてスライダ部材１４を波面９に圧接しているコイルバネ（弾性部材）１３が弾性変形することに伴う抵抗感により与えられるものである。
【００３２】
上記のような節度機構８では、スライダ部材１４が波面９の山部１０を乗り越え、谷部１１にバネ力により圧接されるとき、音が発生する。この音は、ダイヤルノブ３を大きくかつ速く回したときに発生しやすく、それが大きくなると不快な騒音となる。特に、スライダ部材１４の先端部１５の曲面と谷部１１の曲面とが点接触し、接触圧が大きくなったときに、音が大きくなる傾向にある。
【００３３】
本実施形態では、波面９に設けられている谷部１１の内周側曲率半径および外周側曲率半径をそれぞれＲｒ１，Ｒｒ２、山部１０の内周側曲率半径および外周側曲率半径をそれぞれＲｒ３，Ｒｒ４としたとき、これら曲率半径の関係を、Ｒｒ１＝Ｒｒ２およびＲｒ３＜Ｒｒ４に設定している。また、スライダ部材１４の先端部１５の内周側曲率半径Ｒｓ１および外周側曲率半径Ｒｓ２を、先端部１５の曲面が谷部１１の曲面に対して線接触されるように、波面９の谷部１１の内周側曲率半径Ｒｒ１および外周側曲率半径Ｒｒ２に対応させて、Ｒｓ１＝Ｒｓ２に設定している。
【００３４】
このため、少なくとも波面９の谷部１１に対してスライダ部材１４側の先端部１５を確実に線接触により圧接させることが可能となる。これにより、波面９の谷部１１とスライダ部材１４の先端部１５とが圧接される際の圧力が低下され、圧接時の発生音を抑えることができる。従って、良好な節度感（クリック感）が得られると同時に、ダイヤルノブ３の回転操作時の操作音を低減し、ダイヤル式スイッチ１の操作フィーリングを向上させることができる。
【００３５】
特に、谷部１１の内周側曲率半径Ｒｒ１および外周側曲率半径Ｒｒ２と、先端部１５の内周側曲率半径Ｒｓ１および外周側曲率半径Ｒｓ２との関係を、０．５＊（Ｒｒ１，Ｒｒ２）≦（Ｒｓ１，Ｒｓ２）≦２＊（Ｒｒ１，Ｒｒ２）とすることにより、波面９の谷部１１にスライダ部材１４の先端部１５が納まった時のぐらつき感を殆どなくし、節度感の感触を良好にすることができる。また、確実に線接触による圧接を確保することによりスライダ部材１４の先端部１５が波面９の谷部１１に圧接される際の発生音を抑制することができる。
【００３６】
図４には、上記した各曲率半径の関係、０．５＊（Ｒｒ１，Ｒｒ２）≦（Ｒｓ１，Ｒｓ２）≦２＊（Ｒｒ１，Ｒｒ２）の模式図が示されている。先端部１５の内周側曲率半径および外周側曲率半径（Ｒｓ１，Ｒｓ２）は、谷部１１の内周側曲率半径および外周側曲率半径（Ｒｒ１，Ｒｒ２）の０．５ないし２倍の範囲が望ましく、これによって、図５に示されるように、波面９の谷部１１にスライダ部材１４の先端部１５が納まった時のぐらつき感を殆どなくし、節度感の感触を良くすることができる。また、確実に線接触による圧接を確保することによってスライダ部材１４の先端部１５が波面９の谷部１１に圧接される際の発生音を抑えることができる。従って、節度感の向上と操作音の低減を図り、操作フィーリングを向上させることができる。
【００３７】
さらに、上記した谷部１１の内周側曲率半径Ｒｒ１および外周側曲率半径Ｒｒ２と、先端部１５の内周側曲率半径Ｒｓ１および外周側曲率半径Ｒｓ２との関係を、より望ましくは、Ｒｒ１＝Ｒｒ２＝Ｒｓ１＝Ｒｓ２に設定することである。これによって、波面９の谷部１１に対してスライダ部材１４の先端部１５を実質的に面接触に近い状態で確実に線接触により圧接させることが可能となり、図５から明らかなように、節度感および操作音を最適の状態に向上および低減することができる。また、スライダ部材１４の先端部１５の曲率半径を、Ｒｓ１＝Ｒｓ２としているため、組み立て時の内外方向性を無くすることができ、これによって、組み立ての容易化と誤組み立ての防止を図ることができる。
【００３８】
加えて、波面９が設けられているリング状部材７およびスライダ部材１４が、それぞれ樹脂材による成形品とされている。このため、ダイヤルノブ操作時に発生する操作音をソフトな樹脂材同士の接触音とすることができる。これによって、ダイヤルノブ操作時の不快な操作音を低減することができる。
【００３９】
［第２実施形態］
次に、本発明の第２実施形態について、図３を参照して説明する。
本実施形態は、上記した第１実施形態に対して、波面９の谷部１１の内周側曲率半径Ｒｒ１および外周側曲率半径Ｒｒ２と、スライダ部材１４の先端部１５の内周側曲率半径Ｒｓ１および外周側曲率半径Ｒｓ２の設定の仕方が異なる。その他の点については、第１実施形態と同様であるので説明は省略する。
本実施形態では、波面９の幅方向に設けられている谷部１１の内周側曲率半径および外周側曲率半径をそれぞれＲｒ１，Ｒｒ２、山部１０の内周側曲率半径および外周側曲率半径をそれぞれＲｒ３，Ｒｒ４としたとき、これら曲率半径の関係を、Ｒｒ１＜Ｒｒ２およびＲｒ３＜Ｒｒ４に設定している。
【００４０】
また、スライダ部材１４の先端部１５における内周側曲率半径Ｒｓ１および外周側曲率半径Ｒｓ２を、先端部１５の曲面が谷部１１の曲面に対して線接触されるように、波面９の谷部１１の内周側曲率半径Ｒｒ１および外周側曲率半径Ｒｒ２に対応させて、Ｒｓ１＜Ｒｓ２に設定している。
【００４１】
上記のように、波面９の谷部１１の内周側曲率半径Ｒｒ１および外周側曲率半径Ｒｒ２と、山部１０の内周側曲率半径Ｒｒ３および外周側曲率半径Ｒｒ４とを、Ｒｒ１＜Ｒｒ２およびＲｒ３＜Ｒｒ４に設定し、これに対応させて、スライダ部材１４の先端部１５の内周側曲率半径Ｒｓ１および外周側曲率半径Ｒｓ２を、Ｒｓ１＜Ｒｓ２に設定することにより、リング状部材７の内外径差にかかわらず、波面９の谷部１１に対してスライダ部材１４の先端部１５を実質的に面接触に近い状態で確実に線接触により圧接させることが可能となる。これによっても、第１実施形態と同様、節度感および操作音を最適の状態に向上および低減することができる。
【００４２】
なお、本発明は、上記実施形態にかかる発明に限定されるものではなく、その要旨を逸脱しない範囲において、適宜変形が可能である。例えば、上記実施形態のダイヤル式スイッチ１は、車両用空調装置の温度設定や風量設定用のダイヤル式スイッチとして好適なものであるが、用途については、これに限定されるものではなく、各種機器用のダイヤル式スイッチに適用することが可能である。
【００４３】
また、上記実施形態では、リング状部材７側に波面８を設け、回動部材４側にスライダ部材１４を保持した構成としたが、逆に、回動される回動部材４側に波面８を設け、固定されたリング状部材７側にスライダ部材１４を保持した構成としてもよい。さらに、節度機構８を１箇所に設けた例について説明したが、必要に応じて節度機構８を２箇所以上に設けてもよい。また、スライダ部材１４を押圧する弾性部材は、コイルバネ１３である必要はなく、他の弾性部材を用いてもよいことはもちろんである。
【図面の簡単な説明】
【００４４】
【図１】本発明の第１実施形態に係るダイヤル式スイッチの主要部の構成を示す斜視図である。
【図２】図１に示す節度機構の構成を示す斜視図である。
【図３】図２に示す節度機構の部分拡大斜視図である。
【図４】図３に示す節度機構の圧接状態の模式図である。
【図５】図３に示す節度機構の節度感と操作音の状態を示す説明図である。
【符号の説明】
【００４５】
１  ダイヤル式スイッチ
３  ダイヤルノブ
４  回動部材
７  リング状部材
８  節度機構
９  波面
１０  山部
１１  谷部
１３  コイルバネ（弾性部材）
１４  スライダ部材
１５  先端部
Ｒｒ１  谷部の内周側曲率半径
Ｒｒ２  谷部の外周側曲率半径
Ｒｒ３  山部の内周側曲率半径
Ｒｒ４  山部の外周側曲率半径
Ｒｓ１  先端部の内周側曲率半径
Ｒｓ２  先端部の外周側曲率半径
【図１】
2009301827.tif 000003
【図２】
2009301827.tif 000004
【図３】
2009301827.tif 000005
【図４】
2009301827.tif 000006
【図５】
2009301827.tif 000007